(57)【特許請求の範囲】
【請求項１】
断面略Ｃ字形の固定側レールと、該固定側レールに対向して設けられた断面略Ｃ字形の移動側レールと、上記両レールの間に嵌挿された中間レール等からなるスライドレールにおいて、固定側レール基板の収納側端部に移動側レール方向に突出する固定側収納時ストッパーが形成される一方、移動側レール基板の収納側端部に固定側レール方向に突出し、上下方向に所定寸法を有する移動側移動時ストッパーが形成され、移動側レールの方向でかつ移動側に突出し、移動側方向で順次大きく離間する上下傾斜案内突片と、上下案内突片の収納側に連設され、最も近接する個所の端面が円弧状をなし、その離間寸法が、前記移動側移動時ストッパーの上下方向の寸法より小さめに形成された上下係止突部と、該上下係止突部の収納側に連設され、前記移動側移動時ストッパーの上下方向の寸法よりやや小さめに形成された上下挟持段部と、上下挟持段部の収納側に連設された、上下弾性支持突片よりなる上下弾性保持部と、上下弾性保持部に連設され前記固定側収納時ストッパーと連結される取付部より構成された返り防止部材が、前記固定側収納時ストッパーにもうけられている事を特徴とするスライドレールの収納時保持装置。
【請求項２】
断面略Ｃ字形の固定側レールと、該固定側レールに対向して設けられた断面略Ｃ字形の移動側レールと、上記両レールの間に嵌挿された中間レール等よりなるスライドレールにおいて、固定側レール基板の収納側端部に移動側レール方向に突出する固定側収納時ストッパーが形成される一方、移動側レール基板の収納側端部に固定側レール方向に突出し、上下方向に所定寸法を有する移動側移動時ストッパーが形成され、上下弾性保持部と、上下弾性保持部に連設された取付部よりなるはね返り防止部材が、固定側収納時ストッパーに設けられたスライドレールの収納時保持装置において、前記はね帰り防止部材の取り付け部は、固定側レールの基板内面に位置する取付基板と、取付基板の上下端部に連設され、固定側レール上下両屈折縁内面に弾性的に圧接する上下弾性圧接片と、取付基板の収納側端部に連設された嵌合支持片と、嵌合支持片の収納側に連設され、固定側収納時ストッパーに嵌合する嵌合溝より構成されている事を特徴とするスライドレールの収納時保持装置。
【請求項３】
断面略Ｃ字形の固定側レールと、該固定側レールに対向して設けられた断面略Ｃ字形の移動側レールと、上記両レールの間に嵌挿された中間レール等よりなるスライドレールにおいて、固定側レール基板の収納側端部に移動側レール方向に突出する固定側収納時ストッパーが形成される一方、移動側レール基板の収納側端部に固定側レール方向に突出し、上下方向に所定寸法を有する移動側移動時ストッパーが形成され、上下弾性保持部と、上下弾性保持部に連設された取付部よりなるはね返り防止部材が、固定側収納時ストッパーに設けられたスライドレールの収納時保持装置において、前記はね帰り防止部材の取り付け部は、固定側レールの基板内面に位置する取付基板と、取付基板の上下端部に連設され、固定側レール上下両屈折縁内面に弾性的に圧接する上下弾性圧接片と、取付基板の収納側端部に連設された嵌合支持片と、嵌合支持片の収納側に連設され、固定側収納時ストッパーに嵌合する嵌合溝より構成され、前記上下弾性保持部は、移動側レールの方向でかつ移動側に突出し、移動側方向で順次大きく離間する上下案内傾斜突片と、上下案内傾斜突片の収納側に連設され、最も近接する個所の端面が円弧状をなし、その離間寸法が、前記移動側移動時ストッパーの上下方向の寸法より小さめに形成された上下係止突部と、該上下係止突部の収納側に連設され、前記移動側移動時ストッパーの上下方向の寸法よりやや小さめに形成された上下挟持段部と、上下挟持段部の収納側に連設された、上下弾性支持突片より構成されている事を特徴とするスライドレールの収納時保持装置。
【発明の詳細な説明】
【０００１】
【産業上の利用分野】
本発明は、複写機の内部機器や家具等の抽斗を本体内に収納した状態を保持するスライドレールの収納時保持装置に関するものである。
【０００２】
【従来の技術】
従来、抽斗等が家具等の本体内に勢いよく収納されると、抽斗等がはね返えり、一度で確実に収納されず、再度抽斗等を家具本体内に押し込むという操作が必要であった。特に引き出し力の軽いスライドレールを使用しているとその傾向が顕著であった。
又、家具等の移動時に、家具が傾いたりすると不用意に引き出しが飛び出すという欠点もあった。
そして、上記欠点を改善する為に、固定側レールに弾性体からなる山形の係合突部を有するはね返り防止部材を設け移動側レールに設けたストッパーを係合せしめたもの（実開昭５７ー１８９４５０号）が提供されているが、各レール、ストッパー、はね返り防止部材等の加工精度、及び取り付け精度、更にレールの使用目的等によって、ストッパーがはね返り防止部材の係合突部に係合すると同時に、移動側レールを停止させるのは、技術的に非常に困難であり、かつ、実用的でもない。
この為、はね返り防止部材の係合突部にストッパーが係合した後、移動側レールが若干収納側に移動した時、移動側レールを停止させる構成となっている。（以下、係合突部にストッパーが係合した後、移動側レールを若干収納側に移動可能とした構成を、修正用クリアランスと云う。）
従って、修正用クリアランスの移動時にも、ストッパーとはね返り防止部材を係合状態となるように構成すると、ストッパーとはね返り防止部材の係合位置と係合突部間の高さ寸法が、上記加工精度、レールの使用目的等によって異なる為、収納時からストッパーが係合突部を乗り越える時の引き出し力にばらつきが生じる問題がある。
一方、修正用クリアランスの移動時には、ストッパーとはね返り防止部材が係合状態しないように構成しておくと、移動側レールに修正用クリアランス間でガタツキが発生する問題があった。
【０００３】
【発明が解決しようとする課題】
本発明は、上記き欠点を解決する事を課題とし、簡単な構造で生産性に優れ、確実に抽斗の収納状態を維持すると共に、初期の引き出し力が安定した、スライドレールの収納時保持装置を提供する事を目的とする。
【０００４】
【課題を解決する為の手段】
上記課題を解決する為、本発明が手段とする第１の特徴は、断面略Ｃ字形の固定側レールと、該固定側レールに対向して設けられた断面略Ｃ字形の移動側レールと、上記両レールの間に嵌挿された中間レール等からなるスライドレールにおいて、固定側レール基板の収納側端部に移動側レール方向に突出する固定側収納時ストッパーが形成される一方、移動側レール基板の収納側端部に固定側レール方向に突出し、上下方向に所定寸法を有する移動側移動時ストッパーが形成され、移動側レールの方向でかつ移動側に突出し、移動側方向で順次大きく離間する上下傾斜案内突片と、上下案内突片の収納側に連設され、最も近接する個所の端面が円弧状をなし、その離間寸法が、前記移動側移動時ストッパーの上下方向の寸法より小さめに形成された上下係止突部と、該上下係止突部の収納側に連設され、前記移動側移動時ストッパーの上下方向の寸法よりやや小さめに形成された上下挟持段部と、上下挟持段部の収納側に連設された、上下弾性支持突片よりなる上下弾性保持部と、上下弾性保持部に連設され前記固定側収納時ストッパーと連結される取付部より構成されたはね返り防止部材が、前記固定側収納時ストッパーにもうけられているものである。
【０００５】
次に本発明が手段とする第２の特徴は、断面略Ｃ字形の固定側レールと、該固側レールに対向して設けられた断面略Ｃ字形の移動側レールと、上記両レールの間に嵌挿された中間レールと等よりなるスライドレールにおいて、固定側レール基板の収納側端部に移動側レール方向に突出する固定側収納時ストッパーが形成される一方、移動側レール基板の収納側端部に固定側レール方向に突出し、上下方向に所定寸法を有する移動側移動時ストッパーが形成され、上下弾性保持部と、上下弾性保持部に連設された取付部よりなるはね返り防止部材が、固定側収納時ストッパーに設けられたスライドレールの収納時保持装置において、前記はね帰り防止部材の取り付け部は、固定側レールの基板内面に位置する取付基板と、取付基板の上下端部に連設され、固定側レール上下両屈折縁内面に弾性的に圧接する上下弾性圧接片と、取付基板の収納側端部に連設された嵌合支持片と、嵌合支持片の収納側に連設され、固定側収納時ストッパーに嵌合する嵌合溝より構成されているものである。
【０００６】
次に本発明が手段とする第３の特徴は、断面略Ｃ字形の固定側レールと、該固定側レールに対向して設けられた断面略Ｃ字形の移動側レールと、上記両レールの間に嵌挿された中間レール等よりなるスライドレールにおいて、固定側レール基板の収納側端部に移動側レール方向に突出する固定側収納時ストッパーが形成される一方、移動側レール基板の収納側端部に固定側レール方向に突出し、上下方向に所定寸法を有する移動側移動時ストッパーが形成され、上下弾性保持部と、上下弾性保持部に連設された取付部よりなるはね返り防止部材が、固定側収納時ストッパーに設けられたスライドレールの収納時保持装置において、前記はね帰り防止部材の取り付け部は、固定側レールの基板内面に位置する取付基板と、取付基板の上下端部に連設され、固定側レール上下両屈折縁内面に弾性的に圧接する上下弾性圧接片と、取付基板の収納側端部に連設された嵌合支持片と、嵌合支持片の収納側に連設され、固定側収納時ストッパーに嵌合する嵌合溝より構成され、前記上下弾性保持部は、移動側レールの方向でかつ移動側に突出し、移動側方向で順次大きく離間する上下傾斜案内突片と、上下案内突片の収納側に連設され、最も近接する個所の端面が円弧状をなし、その離間寸法が、前記移動側移動時ストッパーの上下方向の寸法より小さめに形成された上下係止突部と、該上下係止突部の収納側に連設され、前記移動側移動時ストッパーの上下方向の寸法よりやや小さめに形成された上下挟持段部と、上下挟持段部の収納側に連設された、上下弾性支持突片より構成されているものである。
【０００７】
【実施例】
以下、添付図面に基づいて実施例を説明する。
図１において、符号１は固定側レールを示し、符号２は移動側レールを示し、符号３は中間レールを示し、符号４は固定側レール１のボール保持板を示し、符号６は、移動側レール２のボール保持板を示し、符号５ははね返り防止部材を示している。そして、図２において右側方向を移動側、左側方向を収納側として説明する。
【０００８】
固定側レール１、移動側レール２は移動側と収納側を逆にした同形同長に形成され、金属製の細長条板の短手両端部を内向き円弧状に折り曲げて形成された内面長手方向（図３において上方を移動側、下方を収納側とする。）にボール案内溝を有する上下両折曲縁１１、１１、２１、２１と、固定側レール基板１２、移動側レール基板２２より断面略Ｃ字形に対向して形成されている。
そして、固定側レール基板１２の収納側端部と移動側レール基板２２の移動側端部を他方のレール２、１方向に折り曲げて形成された固定側収納時ストッパー１３と、移動側収納時ストッパー（図示せず。）を有し、固定側収納時ストッパー１３に移動側レール２の方向に突出してはね返り防止部材５が取付られ、固定側レール基板１２の移動側端部と移動側レール基板２２の収納側端部を他方のレール２、１方向に折り曲げて形成された固定側移動時ストッパー（図示せず。）と、移動側移動時ストッパー２４が形成されている。
【０００９】
中間レール３は、帯状金属板にて上記固定側レール１、移動側レール２に挿入可能な大きさでほぼ同長の基板３１と上下両折曲縁３２、３２からなる断面略Ｃ字形に形成された２つの部材を、引き出し及び収納方向で対称に、基板３１同士を背中合わせに固着して、ほぼＩ字形に形成され、固定側レール１及び移動側レール２側の上下端部に、上下左右両折曲縁３２、３２、３３、３３が形成されている。
【００１０】
そして、中間レール３の基板３１の収納側端部に、固定側レール１側に突出し、スライドレールの引き出し時、ボール保持板４の収納側に当接し、スライドレールの収納時、固定側収納時ストッパー１３の内面に当接するボール保持条板収納時ストッパー３２１と、中間レール３の基板３１の引き出し側端部に、移動側レール２側に突出し、スライドレールの引き出し時、移動側２のボール保持板６の引き出し側端部が当接するボール保持板引き出し時ストッパー（図示せず。）が形成されている。
【００１１】
ボール保持板４、６は対向した同形で、帯条金属板にて固定側レール１、移動側レール２及び、中間レール３との間に挿入可能な大きさで、かつ、両レール１、２の半分以下の長さで  、基板４１、６１と上下折曲片４２、４２、６２、６２からなり、基板４１、６１は中央部をコ字形に折り曲げ、そして、上下両折曲片４２、４２、６２、６２の移動、収納側方向の数箇所にそれぞれボール４０・・・を回転自在に保持している。
【００１２】
はね返り防止部材５は板バネ材にて、取り付け部５０と上下弾性保持部５００、５００より構成されている。
取り付け部５０は、固定側レール基板１２の内面に位置する取付基板５１と、取付基板５１の上下端部に連設され、固定側レール上下両屈折縁１１、１１の内面に弾性的に圧接する上下弾性圧接片５２、５２と、取付基板５１の収納側端部に連設された嵌合支持片５３と、嵌合支持片５３の収納側に所定間隔を有して固定側レール基板１２方向に突出する嵌合突片５４より構成され、嵌合支持片５３と嵌合突片５４間に、固定側収納時ストッパー１３に嵌合する嵌合溝５５が形成さている。
【００１３】
取付部５０と一体に連設される前記上下弾性保持部５００、５００は、移動側レール２の方向でかつ移動側に突出し、移動側方向で順次大きく離間する上下傾斜案内突片５６、５６と、上下傾斜案内突片５６、５６の収納側に連設され、最も近接する個所の端面が円弧状をなし、その離間寸法が、前記移動側移動時ストッパー２４の上下方向の寸法より小さめに形成された上下係止突部５７、５７と、該上下係止突部５７、５７の収納側に連設され、前記移動側移動時ストッパー２４の上下方向の寸法より小さめに形成され、かつ移動側移動時ストッパー２４の厚みにほぼ等しい寸法（本実施例では、前記修正用クリアランスを移動側移動時ストッパー２４の厚みとほぼ等しく構成している。）の上下挟持段部５８、５８と、上下挟持段部５８、５８の収納側に連設され、前記嵌合支持片５３の移動側上下端部に連設され上下弾性支持突片５９、５９より構成されている。
【００１４】
本発明は上記の如く構成されており、上下弾性圧接片５２、５２を、取付基板５１を弾性変形させながら、固定側レール１の上下屈折縁１１、１１の内面に弾性的に圧接させると同時に、嵌合溝５５を固定側収納時ストッパー１３に嵌合して、はね返り防止部材５が固定側レール１の固定側収納時ストッパー１３の内面に取付られた状態で、移動側レール２が最も引き出された時、固定側レール１のボール保持板４の移動側端部は固定側レール１の固定側移動時ストッパー  （図示せず。）に当接し、中間レール３のボール保持条板収納時ストッパー３２１は、固定側レール１の保持条板４の収納側端部に当接して、固定側レール１のボール保持板４と中間レール３は停止する。
そして、次に、移動側レール２のボール保持板６の移動側端部は中間レール３のボール保持条板引き出し時ストッパー（図示せず。）の内面に当接し、移動側レール２の移動側移動時ストッパー２４は、ボール保持板６の収納側端部に当接して、移動側レール２と中間レールは停止し、スライドレールは最も伸長した状態となる。
【００１５】
次に上記の状態から、移動側レール２を収納側に移動させると、ボール保持板６は移動側レール２の移動距離の２分の１収納側に移動し、移動側レール２の移動側収納時ストッパー（図示せず。）が中間レール３のボール保持板引き出し時ストッパー（図示せず。）に当接する。次に移動側レール２と中間レール３は共に、収納側方向に移動し、ボール保持板３は、中間レール３の移動距離の２分の１収納側に移動し、やがて、中間レール３のボール保持板収納時ストッパー３２１が、固定側レール１の固定側収納時ストッパー１３（はね返り防止部材５の嵌合支持片５３の内面）に当接し、この状態で移動側レール２の移動側移動時ストッパー２４は、はね返り防止部材５に保持される。
【００１６】
すなわち、移動側レール２の移動側移動時ストッパー２４は上下案内傾斜突片５６、５６間を、その弾性に抗して押し広げながら収納側に移動し、上下係止突部５７、５７を通過し、上下挟持段部５８、５８間に位置したとき、弾性にて復帰した上下係止突部５７、５７と上下挟持段部５８、５８にて保持され、移動側レール２の不用意な移動側への移動が防止される。
この時、上記上下挟持段部５８、５８の移動側方向が前記修正用クリアランスとなり、移動側レール２がガタツク事なく、しかも、上下係止突部５７、５７と上下挟持段部５８、５８間の高さ寸法は一定であるから、移動側移動時ストッパー２４が序下係止突部５７、５７を乗り越える時の引き出し力は常に一定となる。
尚、実施例では、固定側レール１の収納側端部にはね返り防止部材５を設けているが、図３で左右に１８０度反転させた状態で、実施例の移動側レール２を固定側レールとして、固定側レール１を移動側レールとして使用すれば、移動側レールの移動側端部にはね返り防止部材５を設けることにより上記と同様の効果を得る事が可能である。
又、実施例では、スライドレールを縦方向で使用しているので、固定側レール１、はね返り防止部材５等の各部を上下の語句を使用して説明しているが、スライドレールの使用方向で適宜選択されるものであり、本発明の要旨とは関係ないものである。
【００１７】
【発明の効果】
特許請求の範囲の請求項１に記載の発明によれば、固定側レールの固定側収納時ストッパーを設け、これにはね返り防止部材を取り付け、はね返り防止部部材に上下傾斜案内突片と、上下係止突部と、上下挟持段部と、上下弾性支持突片よりなる上下弾性保持部と、上下弾性保持部に連設され前記固定側収納時ストッパーと連結される取付部より構成されているので、移動側レールに荷重が負荷され、移動側レールが多少沈み込む状態で作用し、上係止突部のかかりがあまくなっても、下係止突部は移動側移動時ストッパーに確実に係止するので、所定の効果を十分得る事ができる。
又、はね返り防止部材は、上下案内突片と上下係止突部が設けられた上下対称形に形成されているので、左右いずれのスライドレールにも使用する事が可能である。
【００１８】
請求項２に記載の発明によれば、はね返り防止部材の取付部は、固定側レールの基板内面に位置する取付基板と、取付基板の上下端部に連設され、固定側レール上下両屈折縁内面に弾性的に圧接する上下弾性圧接片と、取付基板の収納側端部に連設された嵌合支持片と、嵌合支持片の収納側に連設され、固定側収納時ストッパーに嵌合する嵌合溝より構成されているので、取り付け作業に、ビス、リッベ等を使用する必要がなく簡単に取り付ける事ができる。
【００１９】
請求項３に記載の発明によれば、請求項１に記載の発明の効果と、請求項２に記載の発明の効果を同時に得る事が出来る。
【図面の簡単な説明】
【図１】        本発明のはね返り防止部材側のスライドレールの正面図。
【図２】        図１に対応した右側面図。
【図３】        図１のＡーＡ線一部断面図。
【図４】        図３のＢーＢ線断面図。
【図５】        スライドレールの断面図。
【図６】        はね返り防止部材の斜視図。
【符号の説明】
１              固定側レール
１２            固定側レールの基板
１３            固定側収納時ストッパー
２              移動側レール
２２            移動側レール基板
２４            移動側移動時ストッパー
３              中間レール
５              はね返り防止部材
５０            取り付け部
５１            取付基板
５２、５２      上下弾性圧接片
５３            嵌合支持片
５５            嵌合溝
５６、５６      上下案内傾斜突片
５７、５７      上下係止突部
５８、５８      上下挟持段部
５９、５９      上下弾性支持突片
５００、５００  上下弾性保持部
【図１】
0003697113.tif 000002
【図２】
0003697113.tif 000003
【図３】
0003697113.tif 000004
【図４】
0003697113.tif 000005
【図５】
0003697113.tif 000006
【図６】
0003697113.tif 000007